【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】  ａ）開口端を有する授乳用容器と、
ｂ）前記容器の開口端に取り外し可能に連結された授乳用分与手段と、
ｃ）前記容器における第１の操作状態において、前記授乳用分与手段が該容器の開口端に連結される状態の間、該授乳用分与手段に嵌め合い、該授乳用分与手段を密封するようにし、前記授乳用容器に取り外し可能に連結された第１のキャップと、を含む経口哺乳瓶であって、
前記容器における第２の操作状態において、前記授乳用分与手段が、該容器から間隔をおいた非授乳位置で前記第１のキャップ内の収納用手段に収納され、それにより、該第２の状態で該第１のキャップが該容器に連結される場合、消毒用媒体により、前記授乳用分与手段および前記授乳用容器の消毒が行われ得ることを特徴とする経口哺乳瓶。
【請求項２】  ａ）開口端を有する授乳用容器と、ｂ）前記容器の開口端に取り外し可能に連結可能な授乳用分与手段と、ｃ）ドーム状キャップと、ｄ）第１のキャップと、を含む経口哺乳瓶であって、前記容器における第１の操作状態において、前記授乳用分与手段が該容器の開口端に連結される状態の間、前記ドーム状キャップが該授乳用分与手段に嵌め合い、該授乳用分与手段を密封するようにし、前記授乳用容器に取り外し可能に連結される経口哺乳瓶において、
前記容器における第２の操作状態において、前記授乳用分与手段および前記ドーム状キャップが、該容器から間隔をおいた非授乳位置で前記第１のキャップ内の収納用手段に収納され、それにより、該第２の状態で該第１のキャップが該容器に連結される場合、消毒用媒体により、前記ドーム状キャップおよび前記授乳用容器の消毒が行われ得ることを特徴とする経口哺乳瓶。
【請求項３】  前記第１のキャップは、好ましくは、前記経口哺乳瓶における１個以上の保持用カラーと、シール用ディスクと、一対のトングとを含む他の構成部品を収納するための手段を備える請求項１又は２に記載の経口哺乳瓶。
【請求項４】  前記非授乳位置で前記第１のキャップ内に収納された場合、前記授乳用分与手段および他のすべての構成部品における実質的に全表面が前記消毒用媒体に曝される請求項１、２又は３に記載の経口哺乳瓶。
【請求項５】  前記授乳用容器の開口端は、ねじ部を有するネックを備え、前記授乳用分与手段が、前記授乳用容器の前記ネックのねじ部に係合するねじ付きカラーによって前記授乳用容器に連結可能とされている請求項３又は４に記載の経口哺乳瓶。
【請求項６】  前記第１のキャップが前記第２の状態で前記授乳用容器に連結された場合、前記授乳用容器のネックのねじ部が、前記消毒用媒体に曝される請求項５に記載の経口哺乳瓶。
【請求項７】  前記第１のキャップは、該第１のキャップが第２の操作状態にある場合、消毒対象の構成部品が載置され得る別体の支持要素を備え、前記支持要素は、好ましくは、前記第１のキャップの内側に圧入嵌合、螺合、又は締まり嵌めによって保持されている請求項１乃至６のいずれかに記載の経口哺乳瓶。
【請求項８】  前記第１のキャップが、ドーム状キャップとして使用され得る請求項７記載の経口哺乳瓶。
【請求項９】  その内部から蒸気を逃がす通気手段を備え、
該通気手段が、好ましくは、前記第１のキャップ内に一つ以上の孔または開口を含み、または、前記第１のキャップと前記授乳用容器の外面との間に一つ以上の通路を含んでいる請求項１乃至８のいずれかに記載の経口哺乳瓶。
【請求項１０】  取り外し可能なサブトップを備え、該サブトップを取り外すことによって、前記その他の構成部品、好ましくは、前記サブトップに収納される前記トング及び／又はシール用ディスクに対していつでもアクセスでき、これの取り外しができる請求項３、または、請求項３に従属する請求項４乃至９に記載の経口哺乳瓶。
【請求項１１】  イジェクタ手段を具え、それによって前記第１のキャップの内部から構成部品を解放され得る請求項１乃至１０のいずれかに記載の経口哺乳瓶。
【請求項１２】  シール用ディスクを備え、前記授乳用分与手段が前記授乳用容器に連結され、前記シール用ディスクが前記第１のキャップ内に収納されている状態で経口哺乳瓶が前記第１の状態で組み立てられる場合、前記第１のキャップが前記第１の操作状態で前記授乳用容器に連結されたとき、前記シール用ディスクが、前記授乳用分与手段の閉鎖手段として作用する請求項１乃至１１のいずれかに記載の経口哺乳瓶。
【請求項１３】  前記第２の状態で前記第１のキャップ内に配置される場合、前記授乳用分与手段は、他のものと接触せずに前記第１の操作状態で前記授乳用容器の組立てのため該容器に係合され得る請求項１乃至１２のいずれかに記載の経口哺乳瓶。
【請求項１４】  前記授乳用分与手段が、前記サブトップが連結されている前記第１のキャップの開口部を通じて前記授乳用容器に係合され得る請求項１０および請求項１３に記載の経口哺乳瓶。
【請求項１５】  前記第１の操作状態で第１のキャップ内に配される場合、前記保持用カラーは、他のものと接触せずに前記授乳用容器の組立てのため該容器に係合され得る請求項３または請求項３に従属する請求項４乃至１４のいずれかに記載の経口哺乳瓶。
【請求項１６】  前記保持用カラー及び第１のキャップが、それぞれ、相対回転を防止する相互に係合可能な回り止め手段を有し、それによって、該第１のキャップの回転により、前記カラーが前記授乳用容器の前記ネックのねじ部上に螺合可能となる請求項５および請求項１５に記載の経口哺乳瓶。
【請求項１７】  前記非授乳位置において前記第１のキャップ内に前記授乳用分与手段を収容し、
該第１のキャップを前記容器に取り外し可能に連結することにより形成されるチャンバ内に、好ましくは、蒸気および／または熱湯を含む消毒用媒体を配することを含むことを特徴とする請求項１乃至請求項１６のいずれかに記載の経口哺乳瓶を消毒する方法。
【請求項１８】  前記経口哺乳瓶の他の構成部品も、前記授乳用容器と前記第１のキャップによって形成された消毒用チャンバ内に入れられ、前記授乳用分与手段と共に消毒され、好ましくは、前記他の構成部品が、前記授乳用分与手段を前記経口哺乳瓶に連結するためのねじ山付きカラーを含み、前記方法は、さらに、該カラーが該第１のキャップに保持され他のものと接触させずに保ったまま、消毒後に前記瓶に前記カラーを螺合させるステップを含むことを特徴とする請求項１７に記載の方法。
【請求項１９】  前記経口哺乳瓶が、消毒を行うために倒立せしめられ、前記消毒用媒体が、１５ｍｌから３０ｍｌまでの量の水であり、消毒後に、前記授乳用分与手段が、前記第１のキャップ内に入ったまま、他のものに接触することなく該瓶に係合せしめられる請求項１７または請求項１８に記載の方法。
【手続補正２】
【補正対象書類名】明細書
【補正対象項目名】００３６
【補正方法】変更
【補正の内容】
【００３６】
図を参照すると、図１は、全般的に符号１で示された代表的な従来型の乳児用経口哺乳瓶を示している。この経口哺乳瓶は、ねじ部５を具えたネック部４に達する肩部３を有する略円筒形をなす透明なプラスチック製の授乳用容器２を具えている。前記ねじ部５と協働するねじ山付きカラー６が、可撓性のゴム又はプラスチック製の乳首７を前記カラーの中央の孔に受け入れ、乳首７のフランジ８に係合するように構成されている。また、経口哺乳瓶が使用されていない場合、ねじ山付きカラー６に係合するフランジ１０を具えたシール用リング９が備えられている。この場合、乳首７は、倒立して経口哺乳瓶２の内側に入り、そのフランジはネック部４とディスクのフランジ１０との間のシールとして働く。最後に、ねじ山付きカラー６の外周にドーム状キャップ１１が圧入嵌合して、乳首／カラーのアセンブリに被せられる。
【手続補正３】
【補正対象書類名】明細書
【補正対象項目名】００３７
【補正方法】変更
【補正の内容】
【００３７】
図２ａ，図２ｂを参照すると、全般的に符号２０で示された本発明の経口哺乳瓶の第１実施例が図示されている。この経口哺乳瓶は、肩部２２とねじ部２４を具えたネック部２３とを有する略円筒形をなす授乳用容器２１を具えている。肩部２２の下方には、その外周に配置された一連の突起２５が設けられ、キャップ２６を圧入嵌合するための位置決め箇所として作用する。このキャップ２６は、前記突起２５と協働してキャップを授乳用容器２１上に圧入嵌合させる内側溝２８を有するリップ２７を具えている。
【手続補正４】
【補正対象書類名】明細書
【補正対象項目名】００４２
【補正方法】変更
【補正の内容】
【００４２】
従来型の経口哺乳瓶に使用可能な本発明のキャップの一実施例が図４ａ，図４ｂに示されている。全体的に符号５０で示されているこの経口哺乳瓶は、肩部５２と、ネック部５３と、ねじ山付きネック部５４とを有する従来型の授乳用容器５１を具えている。また、この従来型経口哺乳瓶におけるねじ山付きカラー５５と、乳首５６と、ドーム状キャップ５７が示されている。本発明のキャップ５８は、授乳用容器５１のねじ部５４の上に小さい隙間を有し肩部５２に載ったカラー６０を備えるグリッド５９の上に嵌まっている。このグリッドは、例えば、突出した出張り７３によって授乳用容器上に保持されている。このグリッド５９は、ねじ山付きカラー５５が嵌まっている直立した円錐状ウェブ６１を有し、且つ乳首５６を位置決めするための中央のピラー６２を具えている。ドーム状キャップ５７は、ウェブ６３によってキャップ５８上の所定位置に保持されている。
【手続補正５】
【補正対象書類名】明細書
【補正対象項目名】００４７
【補正方法】変更
【補正の内容】
【００４７】
図６ａ〜６ｅは、本発明の経口哺乳瓶のもう一つの実施例を示し、今回は標準の高さを有するものである。全般的に符号１００で示されているこの経口哺乳瓶は、図５の経口哺乳瓶と実質的に同じものであり、同様に二つの部分からなるキャップ１０１を具え、そのサブトップ１０２は取り外し可能となっている。消毒のために構成部品をキャップ１０１の内部に収納するやり方は、図５に示したものと実質的に同じである。キャップ１０１が圧入嵌合されている拡張したカラー１０３は、過剰の蒸気と水の放出を可能にするために、その外周に切り欠き部１０４を具えている。キャップのリム１０５は、授乳用容器１０７の肩部１０６に緩く嵌まっているだけなので、前記切り欠き部１０４を通過した蒸気を容易に大気中に放出することができる。
【手続補正６】
【補正対象書類名】明細書
【補正対象項目名】００４８
【補正方法】変更
【補正の内容】
【００４８】
本発明の経口哺乳瓶の他の実施例が図７ａ〜７ｅに示されている。この例でも、全般的に符号１２０で示されている経口哺乳瓶は授乳用容器１２１とキャップ１２２とを具えている。図７ａに示されているように、授乳状態において、シール用ディスク１２３は取り外され、場合によっては円弧状トング１１２４も取り外される。キャップ１２２は従来型のドーム状キャップとして働き、授乳のために取り外される。
【手続補正７】
【補正対象書類名】明細書
【補正対象項目名】００４９
【補正方法】変更
【補正の内容】
【００４９】
消毒状態の場合、構成部品は、図７ｂに示されているように、組み立てられてキャップ１２２に収納される、即ち、シール用ディスク１２３およびねじ山付き保持用カラー１２４がキャップ１２２の周壁に貝殻状の凹みによって形成された周縁ウェブ１２５の上に位置決めされる。乳首１２６はねじ山付きカラー１２４の突起１２７の上に載せられ、トング１１２４はキャップ１２２の壁の係合部１２８に当接して保持される。
【手続補正８】
【補正対象書類名】明細書
【補正対象項目名】００５２
【補正方法】変更
【補正の内容】
【００５２】
図９ａ〜９ｄは、本発明の経口哺乳瓶の更に他の実施例を示し、シール用ディスクの機能と、サブトップからのそれの取り外し、並びに保持用カラーを授乳用容器のねじ山付きネック部分に螺合するためのキャップの本体部分の使用法とを示している。
【手続補正９】
【補正対象書類名】明細書
【補正対象項目名】００５６
【補正方法】変更
【補正の内容】
【００５６】
消毒状態における構成部品の位置が、図９ｂに示されている。保持用カラー１４６および乳首１４５の両者は、ウェブ１５３によって位置決めされている。キャップ１４２の本体部分の壁１５４を、ねじ山付き保持用カラー１４６に対して締まり嵌め可能な適宜な形状にすることによって、キャップの本体部分を用いてねじ山付きカラー１４６を、授乳用容器１４０のネックのねじ部１４７に螺合させることができる。図９ｂに示されているように、使用時に本体部分１４３は、先ずサブトップ１４４から引き離され、乳首１４５が授乳用容器のネック１４８上に載るように授乳用容器１４１の上に倒立せしめられる。（図９に示されていない別のやり方では、搬送状態用にトングを使用して乳首を経口哺乳瓶の中で倒立させ、その後、シール用ディスク１４９を乳首のフランジ１６３の上端に載せてもよい。）いずれの場合も、次に、ねじ山付きカラー１４６を授乳用容器のネック１４８に位置合わせるために、本体部分は、再び倒立され乳首（或いはシール用ディスク）の上方に位置せしめられる。本体部分１４３を回転させるとき、ねじ山付きカラー１４６がネック１４８のねじ部１４７上に螺合し、乳首１４５を授乳用容器に固定する。この目的のために、回り止め手段（図示しない）が設けられ、カラーをキャップ内に収納する際、キャップとカラーとの相対回転を防いでいる。
【手続補正１０】
【補正対象書類名】明細書
【補正対象項目名】００５７
【補正方法】変更
【補正の内容】
【００５７】
間隙１６４がキャップ本体１４３のリップ１６６と経口哺乳瓶１４１の肩部１６８との間に設けられ、キャップ本体１４３とカラー１４６同士が螺合する際に両者の間の幾らかの垂直方向の動きを可能にしている。その後、ねじ山自体が、カラーがねじ込まれるにつれてカラーを下方に牽引する。また、カラーおよび瓶のネックのねじ山の端同士が互いにぴったり合った場合でさえ、リップ１６６を経口哺乳瓶の回り止めリップ１７０にスナップ嵌合させることができるように、リップ１６６は、ウェブ１５３から充分な距離を隔てて設けられることが必要である。
【手続補正１１】
【補正対象書類名】図面
【補正対象項目名】図２ａ
【補正方法】変更
【補正の内容】
【図２ａ】
2002519149.tif 000001
【手続補正１２】
【補正対象書類名】図面
【補正対象項目名】図７ｂ
【補正方法】変更
【補正の内容】
【図７ｂ】
2002519149.tif 000002
【手続補正１３】
【補正対象書類名】図面
【補正対象項目名】図７ｄ
【補正方法】変更
【補正の内容】
【図７ｄ】
2002519149.tif 000003